(57)【要約】四角形の紙その他の材料で作られたバッグ(3)または(11)から成る、変形してテーブルクロスにできるバッグ。該バッグ(3)は、引裂きまたは制御された破断のための手段を有し、該バッグ(3)に重ねて保温性材料の層(4)が取りつけられており、また、該層（4）にプラスチックその他の材料の層(2)が重ねられていて、該層(2)の上部に取っ手を構成する強化手段(7)と開口(6)とが備えられている。また、本体(11)は、片面または両面に印刷された二つの隣接層(12)および(12´)を有し、これらの層は、中心本体(11)からの分離が可能であって、テーブルクロスを構成し、また中心本体(11)と同じ幅およびこれより大きな長さを有する。
2005521606.tif 000002
【特許請求の範囲】
【請求項１】
変形してテーブルクロスにできるバッグ、好ましくは調理済みの温かい食品のための運び手段としての使用を意図するバッグであって、
紙その他の材料で作られたバッグ(3)から成り、
該材料が四角形であって、閉じられた下端を備え、また引裂きまたは制御された破断を容易にするために、ミシン目を有するかまたは処理された側辺を備えており、
前記バッグ(3)に重ねて保温性材料の層(4)が備えられ、該層(4)にプラスチックその他の層(2)が重ねられていて、該層(2)の上部に取っ手を構成する強化手段(7)と開口(6)とが備えられている、
ことを特徴とするバッグ。
【請求項２】
層(4)および(2)が長方形の層として作られていて、これらの層がその側辺ではなくその内表面によって層(3)に取りつけられていることを特徴とする請求項１に記載の変形してテーブルクロスにできるバッグ。
【請求項３】
第二の実施形態において、
保温性を有していても有していなくても良い紙で作られたバッグ(10)が、中心本体(11)を備えており、
二つの長方形の層(12)および(12´)が前記中心本体(11)に取りつけられ、これらの層がバッグ(11)の幅と大体等しい幅と少し大きな長さとを有し、
層(12)および(12´)が、該層の側辺および下部領域に配置された綴じ目によって本体(11)に取りつけられ、
層(12)および(12´)が、バッグまたは中心本体(11)によって占められていない上部に二つの対応する切断開口または打抜き開口(13)および(13´)を備えていて、これらの開口が取っ手または握りを構成する、
ことを特徴とする請求項１または２に記載の変形してテーブルクロスにできるバッグ。
【請求項４】
側辺および下辺によって本体(11)に取りつけられた層(12)および(12´)が、本体(11)とともに、上部からアクセスできるポケットを形成することを特徴とする請求項３に記載の変形してテーブルクロスにできるバッグ。
【請求項５】
層(12)および(12´)が、該層の外表面および内表面へのグラフィックアートの印刷を許容することを特徴とする請求項3または４に記載の変形してテーブルクロスにできるバッグ。
【請求項６】
中心本体またはバッグ(11)から分離された層(12)および(12´)が、テーブルクロスを構成することを特徴とする請求項３から５の中のいずれか１つに記載の変形してテーブルクロスにできるバッグ。
【発明の詳細な説明】
【技術分野】
【０００１】
本発明は、バッグの製造、好ましくは調理済み食品を配送するのに使用できるバッグの製造を専門とする産業で使用することができる。
【背景技術】
【０００２】
出願人の知るところでは、集成のあと、組織的な旅行や遠足のときに調理済み食品を運ぶのに非常によく使用される“ピクニック"容器として作られる、紙およびプラスチック材料で作られた多くのバッグ、ならびに厚紙および板紙で作られた多くの容器が存在する。
【０００３】
出願人の知るフランス特許FR 2715669号明細書には、折りたたんでバッグにすることのできる、多用途の布地材料シートが開示され、特許請求されている。このタイプの解決策は、ビーチまたはプールタオルとして作られた複数の発明に適用されており、この種のタオルは、いろいろな構成とやり方により、折りたたんでバッグにすることができる。ES-U-152,496号、ES-U-152,497号、ES-U-152,983号、ES-U-152,984号、ES-U-153,777号、ES-U-153,778号、WO-9616567号、WO-9960884号、EP-303771号、およびUS-6,276,828号明細書を参照されたい。
【０００４】
広げてテーブルクロスとして使用できる硬質構造物を記載した特許明細書もある。この構造物は、US-6,156,179号特許明細書に開示され、特許請求されている。これは、ガラス瓶を入れるのに使用される折りたたみ厚紙箱に似ている。
【０００５】
US-2,831,624号、US-3,097,782号、およびUS-4,499,999号明細書には、ある程度の強度を有するパネルが開示されており、これらのパネルは、折ったときに、箱またはバスケットの形の容器になり、広げたときに“ピクニック"ブランケットとして使用されるように、組み立てられる。
【０００６】
ドイツ特許D-9,114,046号明細書に記載されている便利モデル(Utility Model)では、食器と銀器をピクニック”ブランケットに取りつける装置が開示されている。この場合、ブランケットは内部空間を残さないように折りたたまれる。
【０００７】
EP-578247号明細書には、円形底面と外周ひもによって閉じられた壁とよって構成されるバッグが開示されている。このバッグは、広げられたとき、より広い円形面を形作り、これはたとえば特に赤ん坊のおむつの交換に使用できる。
【０００８】
米国特許第4,337,812号明細書には、前記のバッグと類似の構成の発明が開示されている。しかし、これは、中心に食器および銀器のためのハウジングを備え、広げられたとき、テーブルクロスとして使用され、ひもを引張ることにより、ふたたびバッグとして使用することができる。
【０００９】
スペインで出願されたES-U-294,193号出願明細書に開示されている便利モデルも、前記のものと類似の発明である。
【００１０】
DE-4,335,279号特許明細書には、折り閉じて、銀器を入れることのできるポケット状のバッグを作り、広げると、ナプキンとして使用できるシート(sheet and lamina)が開示されている。
【００１１】
EP-688,515号特許明細書には、子供のゲーム用のマットまたはブランケットとして使用するために広げることのできる構造のバッグが開示されている。該発明には閉鎖を容易にするためのジッパーが備えられている、ということに注意すべきである。
【発明の開示】
【発明が解決しようとする課題】
【００１２】
しかし、出願人は、本明細書に示す特徴を備えた発明の存在を知らない。
【課題を解決するための手段】
【００１３】
本発明は、変形してテーブルクロスにすることのできるバッグに関し、本発明の目標は、バッグを、ミシン目のある側辺を有する、紙で作られた内部領域を備えたバッグとして作ることにある。該バッグは保温性のある材料の層とプラスチックの内張りを有することができる。これらにも、使用する場合にその開放または引裂きができるように、側辺にミシン目が備えられる。この解放または引裂きのあと、このバッグは、テーブルクロスとして使用され、調理済み食品を運ぶのに使用した該バッグの中味である食品が配置される。
【００１４】
本発明は、また、中にはいった食品を運び、かつ保持するのに適当な特性を有する軟質材料で作られたバッグとして作ることもできる。該バッグは、その側面に層を有し、該層は、バッグを使用する場合、中心本体から取りはずすことができ、そのあとこれらの層は、内表面に装飾図案を有するテーブルクロスとして使用される。また、バッグの中心本体は、運んだ食品を食べたあと、ごみの容器として使用することができ、そのあと通常のごみ入れに捨てることができる。
【００１５】
本発明が提案する、変形してテーブルクロスにできるバッグは、最適の条件で調理済み食品を楽に運ぶのに使用でき、それから、運んだ食品を食べるとき、テーブルクロスとして使用することができる。
【００１６】
本発明は、また、第二の実施形態において、中心本体を構成する軟質材料から作ることができ、中心バッグの中味を取り出したあと、取っ手を備えた外部領域を構成する層状要素を、その面の一つ特に中心本体に対向配置された内表面に装飾を備えたテーブルクロスとして使用することができる。
【００１７】
もっと詳しく言うと、本発明の、変形してテーブルクロスにできるバッグは、紙その他の材料で作られた、内部領域を構成する層を有し、該材料は正方形または長方形であって、その四つの側辺のうち三つが閉じられて上部が開放されており、また解放して長方形シートを得るのを容易にするために、側辺にミシン目を備えている。すなわち、引裂きがうまく行えるように、制御された破断の手段を備えている。
【００１８】
本発明は、側辺によるその解放を容易にするために、適当な条件で作られた紙バッグの外表面に層要素を有するようにすることができ、この層要素は、外表面に対向配置し、また内容物の温度を維持するために保温性を有するようにする。
【００１９】
本発明は、プラスチック材料その他の材料のシートで作り、該シートは、バッグの表面に取りつけるか、またはバッグの表面に備えられた材料の表面に取りつけられ、その強度を高めることと持ち運びとのための強化手段とハンドルとを備えている。
【００２０】
前記のようなシートから構成された紙バッグから内容物を取り出して、側辺を引き裂くと、バッグに入っていた食品を食べるためのテーブルクロスとなるシートが得られる。
【００２１】
第二の実施形態においては、変形してテーブルクロスにできるバッグは、三つの要素によって構成される。これらの要素の一つは、テーブルクロスにされるバッグの形状を作り出す層状本体を備えた中心領域を形作り、バッグ内に調理済み食品を入れるときに簡単に折り曲げまた広げることができ、さらに、その強度に関しては、バッグの中に入ったものを支持し、運ぶための物理的特性を備え、また、内容物に適した容積特性を備え、健康標準規格に対応している。
【００２２】
残りの二つの要素は、層状部品として、中心本体内の内容物の保温のために協働し、これらの要素は、中心本体の側辺に仮取りつけされ、また中心本体と大体同じ幅を有するが、少し大きな長さを有し、その突き出た端に取っ手として使用できる打ち抜き開口を備えるようにする。
【００２３】
これらの外側の層状本体には、宣伝用または確認用のグラフィックアートを外側に印刷でき、したがってこのバッグは宣伝手段となり、一方内部領域は、テーブルクロス装飾となる印刷を有するようにすることができる。
【００２４】
中心本体内の食品を食べるときには、二つの層状部分を構成する、外表面に対向配置された要素を取りはずして広げると、食品を食べるのに使用できるテーブルクロスとなる。
【００２５】
中心本体の、バッグの口にあたる部分に閉鎖手段を備えることができる。
【００２６】
外側層状要素と中心本体との間には、小物たとえばナプキン、宣伝パンフレット、その他を入れることもできる。すなわち、外側層は側辺と下辺で行われる固定により固定されているので、側辺と下辺と中心本体との間にポケットが形成され、該ポケットをいろいろなシート状小物の持ち運びに使用することができる。そのような小物特にナプキンおよび宣伝パンフレットは、テーブルクロスを構成する部分の取りはずしまで、最善の状態に保たれる。
【発明を実施するための最良の形態】
【００２７】
以下、以上の説明を補完し、本発明の特徴のさらに十分な理解を助けるために、本明細書の一体部分として一組の図面を添付する。これは、単なる説明のためのものであり、限定を意図するものではない。
【００２８】
図１、２、３、４、５、６、７、および８には、変形してテーブルクロスにできるバッグ(1)が紙その他の材料のバッグ(3)からどのようにして構成されるかが示してある。バッグ(3)は四角形であって、二つの側辺にミシン目を有し、上部領域の辺は開放されている。一方、下部の辺は閉じられている。この部分(3)はバッグ(1)を構成する構造の主要部であり、前記のように、制御された破断をなしうるように適当に処理された、ミシン目のついた辺を有する。
【００２９】
層(4)が紙その他の材料の本体(3)に取りつけてあり、この層は内容物の温度を維持するために保温性を有する。外層(2)が層(4)の上に取りつけてある。外層(2)はプラスチック材料その他の適当な材料で作られており、上部に強化領域(7)を備えることができる。強化領域(7)には、二つの開口(6)が備えられ、該開口は取っ手として用いられる。このアセンブリは、最小限、層(2)と(3)によって構成されるが、場合によっては層(4)を有する。側辺(5)は、バッグを広げて図２に示す形に変形できるように、ミシン目を備えるかまたは処理してある。
【００３０】
図９、１０、１１、および１２には、本発明の第二の実施形態が示してある。この実施形態の場合、本発明は、内部に調理済み食品(16)が入れられるバッグ(10)から成る。バッグ(10)は適当な特性を有する本体(11)から成る。本体(11)は、紙で作られ、長方形または四角形の大きな外側面を備えている。この側面には、二つの層(12)と(12´)が通常の手段好ましくは接着手段によって取りつけられている。これらの層は、その側辺と下部内側面に配置された、接着剤線として形成された綴じ目によって、本体(11)に取りつけてあって、それぞれ本体(11)に対応する二つのポケットが形成される。このポケットには、ナプキン(15)もしくはパンフレット(15´)、または一般に宣伝媒体を入れて運ぶことができる。層(12)と(12´)には、片面または両面に印刷することができ、たとえば外側面に各種の宣伝用のグラフィックアートを印刷することができ、また内表面には装飾用の図案(14)および(14´)を印刷することができる。
【００３１】
層(12)と(12´)は、中心本体(11)の高さまたは長さよりも少し大きな長さを有するが、幅は同じである。打抜き孔(13)と(13´)が、層(12)と(12´)の突き出た端に作られ、これは取っ手となる。
【００３２】
バッグ(10)の集成体は、本体(11)の口の上部領域に通常の閉鎖手段を備えることができる。
【図面の簡単な説明】
【００３３】
【図１】変形してテーブルクロスにすることのできるバッグを構成する、本発明の対象物の一部開放斜視図である。
【図２】図１の対象物を変形してテーブルクロスにしたものの平面図である。
【図３】本発明のバッグの内部本体の斜視図である。
【図４】図３の本体の外表面に対向配置されるかまたは配置されない保温性裏打ち層の図である。
【図５】図３の要素の外表面に配置される外部カバー、または図４の要素が図３の要素の表面に取りつけられたあとに図４の要素の表面に配置される外部カバーの図である。
【図６】本発明の対象物の平面図である。
【図７】図６の対象物の閉じた状態の斜視図である。
【図８】図７の対象物の半開放状態の図であり、変形してテーブルクロスにするための引き裂き領域を見ることができる。
【図９】本発明の第二の実施形態のたたんだ状態の図である。
【図１０】図９の対象物の、食品を入れるために開放した状態の図である。
【図１１】図９と１０の対象物の、運ばれる内容物が中に入った閉じた状態の図である。
【図１２】図９、１０、および１１の対象物の、完全に分解した状態の斜視図であり、テーブルクロスの間の中心バッグ、中心バッグの内容物、および、四つの辺のうち三つで中心本体に固定される外側層を配置することによって形成されるポケットに入れて運ぶことのできるパンフレットまたはナプキン、が示されている。
【符号の説明】
【００３４】
1  バッグ
2  外層
3  本体
4  層
5  側辺
6  取っ手
7  強化領域
10  バッグ
11  本体
12、12´  層
13、13´  打抜き孔
14、14´  装飾用の図案
15  ナプキン
15´  パンフレット
16  調理済み食品
【図１】
2005521606.tif 000003
【図２】
2005521606.tif 000004
【図３】
2005521606.tif 000005
【図４】
2005521606.tif 000006
【図５】
2005521606.tif 000007
【図６】
2005521606.tif 000008
【図７】
2005521606.tif 000009
【図８】
2005521606.tif 000010
【図９】
2005521606.tif 000011
【図１０】
2005521606.tif 000012
【図１１】
2005521606.tif 000013
【図１２】
2005521606.tif 000014
【国際調査報告】
2005521606.tif 000015
2005521606.tif 000016
2005521606.tif 000017
2005521606.tif 000018
2005521606.tif 000019
2005521606.tif 000020